(57)【要約】【課題】「たむろ」する若者だけを撃退できるようにする。【解決手段】パルス発生回路１０の発振周波数を調整手段１１によって加齢で低下する可聴域に基づいて調整する。そして、個人差に基づく可聴域の差を盛り込んで、「たむろ」する若者だけにパルス音を聞かせるようにする。その際、パルス発生回路１０のパルス音は高調波成分を含んだ耳障りで不快な音なので前記若者だけを撃退できる。【選択図】図１
2010170465.tif 000002
【特許請求の範囲】
【請求項１】
加齢に基づく可聴周波数のパルスを発振する発振手段と、前記発振手段の出力を増幅する増幅手段と、増幅手段で増幅した可聴信号を出力するスピーカーとで構成される撃退装置。
【請求項２】
上記発振手段の可聴周波数を撃退対象に合わせて調整する調整手段を備えた請求項１に記載の撃退装置。
【発明の詳細な説明】
【技術分野】
【０００１】
この発明は、若者が「たむろ」する気を無くさせる撃退装置に関するものである。
【背景技術】
【０００２】
近頃、例えば、コンビニエンスストアの店先などで「たむろ」する若者の姿をよく見掛ける。このように若者が「たむろ」すると、中には、周囲にゴミを撒き散らしたり、大声で騒いだりする者がいる。その結果、店には近所からの苦情が殺到したり、店への客の来店数が減って売り上げが減少したりするなど弊害が生じていた。
従来、このような弊害に対する店側の対応は、口頭で注意したり、水を撒いたり、警察へ通報したり（店の者が言いがかりを付けられた場合）するしか方法が無く、「たむろ」を解消するには到底至らないものであった。そのため、若者に凄まれることや、若者による暴力事件あるいは万引きなどが後を絶たず、従業員の定着率も悪くなるなどの問題が生じていた。
【０００３】
このような問題を解決する一つの方法として、例えば、特許文献１に示すような撃退装置を用いることが考えられる。この撃退装置は、例えば、猪、鹿、猿、熊など動物の侵入を防ぐもので、超音波パルス発生手段で発生させた超音波で威嚇する。
すなわち、照射した超音波を音ではなく不快感として動物に認識させることで、撃退しようとするものである。
【０００４】
しかし、上記の動物撃退装置では、超音波が動物だけに聞こえることを利用して、人には影響が及ばないようにしたものである。そのため、人に聞こえる超音波よりも周波数の低い可聴域の音波を利用して、「たむろ」する若者だけを撃退できれば、若者に与えるダメージも無く、コストも安くできるので、好都合である。
【先行技術文献】
【特許文献】
【０００５】
【特許文献１】特開２００７−１３５５２８号公報
【発明の概要】
【発明が解決しようとする課題】
【０００６】
しかしながら、動物と人間との器質的な差に比べ、若者とそれ以外の者との差は遥かに少なく、若者だけを峻別して撃退するのは難しい問題がある。
【０００７】
そこで、この発明の課題は、若者とそれ以外の者を峻別して、「たむろ」する若者を撃退できるようにすることである。
【課題を解決するための手段】
【０００８】
上記の課題を解決するため、この発明では、加齢に基づく可聴周波数のパルスを発振する発振手段と、前記発振手段の出力を増幅する増幅手段と、増幅手段で増幅した可聴信号を出力するスピーカーとで構成したのである。
【０００９】
このような構成を採用することにより、発振手段の発振周波数を加齢で低下する可聴域に基づいて設定する。すなわち、可聴域は年齢とともに変化して、２０代前後の「たむろ」する若者の年齢をピークにして低下する。そのため、そのピークの周波数の近辺にパルス発振手段の発振周波数を調整することで、「たむろ」する若者だけにパルス音を聞かせるようにする。その際、パルス音は高調波成分を含んだ耳障りで不快な音なので若者だけを撃退できる。
【００１０】
また、このとき、上記発振手段の可聴周波数を撃退対象に合わせて調整する調整手段を備えた構成を採用することができる。
【００１１】
このような構成を採用することにより、可聴周波数は個人（固体）ごとに異なるので、調整手段で撃退しようとする若者に合わせて発振周波数を変更することで最良の効果が期待できる。
【発明の効果】
【００１２】
この発明は、以上のように構成したことにより、「たむろ」する若者だけを撃退できる。
【図面の簡単な説明】
【００１３】
【図１】実施形態のブロック図
【図２】実施形態の回路基板のブロック図
【図３】実施形態のスピーカーボックスの斜視図
【図４】実施形態の回路図
【図５】実施形態の回路図
【図６】（ａ）実施形態の回路のディプスイッチ、（ｂ）ディプスイッチの設定表
【図７】（ａ）使用例を示す斜視図、（ｂ）使用例を示す斜視図、（ｃ）使用例を示す斜視図
【発明を実施するための形態】
【００１４】
以下、この発明の実施形態を図面に基づいて説明する。
図１に示すように、この形態の撃退装置は、発振手段（パルス発生回路）１０、調整手段１１、増幅手段（アンプ回路）１２及びスピーカー１３で構成されており、パルス発生回路１０とアンプ回路１２は、それぞれ、定電圧回路１４と直流電源回路１５に接続されている。また、これらの回路は、図２のような一枚の回路基板１６に搭載され、図３のようなスピーカーボックス１７に収容して屋内外の壁面、天井、柱、床などあらゆる場所に設置できるようになっている。
【００１５】
具体的には、パルス発生回路１０は、図４のように、２個のＣ−ＭＯＳインバータ回路ＩＣ１、ＩＣ２と抵抗Ｒ及びコンデンサＣで構成する低周波発振回路で、発振周波数は、２０ＫＨｚ前後をカバーするように回路定数を設定してある。
この回路動作は、例えば、インバータＩＣ１の出力がＨ→Ｌへ反転し、インバータＩＣ２の出力がＬ→Ｈへ反転すると、コンデンサＣは、インバータＩＣ２→コンデンサＣ→抵抗Ｒ→インバータＩＣ１の経路で充電される。次に、充電により、インバータＩＣ１の入力がしきい値Ｔｈに達すると、インバータＩＣ１の出力がＬ→Ｈへ反転し、インバータＩＣ２の出力がＨ→Ｌへ反転して、今度は逆に、コンデンサＣは、インバータＩＣ１→抵抗Ｒ→コンデンサＣ→インバータＩＣ２の経路で逆方向に充電される。そして、インバータＩＣ１の入力がしきい値Ｔｈに達すると、インバータＩＣ１の出力がＨ→Ｌへ、インバータＩＣ２の出力がＬ→Ｈへ反転し、このような動作を繰り返すことにより、下式の周期Ｔで発振する。
Ｔ＝ＣＲ｛ｌｏｇ（Ｔｈ／Ｅ＋Ｔｈ）＋ｌｏｇ（Ｅ−Ｔｈ／２Ｅ−Ｔｈ）｝
ここで、Ｅ：印加電圧、Ｔｈ：しきい値（スレッショルド電圧）
【００１６】
調整手段１１は、パルス発生回路１０の発振周波数を個人（固体）で異なる可聴域に基づいて調整するためのもので、この形態では、上記パルス発生回路１０の抵抗Ｒを固定抵抗Ｒ１と半固定抵抗ＶＲ１で構成し、半固定抵抗ＶＲ１を調整することで、上式から解るように、発振周波数を調整できるようにしてある。具体的には、調整範囲は、図２の調整ツマミ１８ａに示すように、例えば、１６．５ＫＨｚ〜２０．５ＫＨｚとしてある。
【００１７】
アンプ回路１２は、この形態では、図４に示すように、低周波増幅用のＩＣ３を使用しており、前記ＩＣ３の入力とパルス発生回路１０の出力は、カップリング用コンデンサＣｃを介して接続してある。また、そのカップリング用コンデンサＣｃとパルス発生回路１０の出力間にボリュームＶＲ２を設けることにより、図２の音量調整ツマミ１８ｂを回せば、音量調節ができて撃退エリアの設定（主に音が届く範囲）もできるようにしてある。
【００１８】
スピーカー１３は、ハイパスフィルタ回路１９を介してアンプ回路１２と接続し、本願の特長である可聴周波数の高域のみを出力するようにしてある。
【００１９】
電源は、図５のように、直流電源回路１５と定電圧回路１４をコンビネーションしたもので、直流１２Ｖと直流５Ｖの定電圧の２電源を有するようになっている。ここで、直流１２Ｖは、アンプ回路１２へ供給するためのもので、直流５Ｖの定電圧は、パルス発生回路１０へ供給するためのものである。この直流５Ｖの定電圧は、直流１２Ｖの電源１５から３端子レギュレータを使用して供給しており、このようにローカルレギュレータを設けて供給することにより、発振周波数の安定化を図っている。
【００２０】
回路基板１６は、図２のように、上述した回路素子の他、電源入力コネクター、スピーカー出力コネクターを設けてある。さらに、回路基板１６には、例えば、カウンタを使用して作動時間を設定するタイマ回路や図６（ａ）のように、動作モードを設定するためのディップスイッチ２２が設けてあって、図６（ｂ）のように、タイマ動作や使用環境（例えば、室内や室外）に応じてアンプの設定ができるようになっている。
【００２１】
スピーカーボックス１７は、図３のように、フロントケース２３と後部ケース２４で構成され、例えば、アルミダイキャスト製の堅牢な構造となっている。また、フロントケース２３と後部ケース２４は、接合部にパッキンなどを使用してネジやナットで止める防水構造となっており、風雨や熱に対しても丈夫な構造となっている。そのため、室内外を問わずに設置できるものである。
また、フロントケース２３は、図３のように、前面がグリル形状の放射口となっており、奥にセットしたスピーカー１３の指向特性を図３のように設定するようになっている。こうすることで、放射範囲を限定して、「たむろ」する若者だけを撃退できるようになっている。
一方、後部ケース２４には、図３のように、両側にネジ孔を設けた係止部２５を形成して壁用の固定金具２６を取り付けるようになっている。固定金具２６は、２個のコの字の金具の開放側を対向させてロの字形にしてネジ止めしたもので、ネジ止め部分を利用して上下（あるいは９０度回転させて取り付ければ左右）に向きを調節できるようになっている。さらに、この金具２６にポールを取り付ければ、図７（ａ）、（ｂ）のように、屋内外の天井に取り付けるようにもできる。
また、後部ケース２４には接続用のコネクターが設けてあって電源用ケーブル２７を接続するようになっている。この電源ケーブル２７には、１２Ｖの直流を供給する外部電源に接続するようになっていて、この電源をコントロールすることで、撃退装置のオンオフを制御する。
【００２２】
この形態は、上記のように構成され、本願の撃退装置は、例えば、図７（ａ）、（ｂ）のように、天井あるいは壁面などに取り付け、放射口を若者が「たむろ」するエリアに向けて調整する。
その際、「たむろ」する若者の年齢と固体差とを加味して発振周波数を調整する。また、音量を調整して撃退エリアの範囲も設定する。
【００２３】
そして，若者が「たむろ」を始めると、例えば、図７（ｃ）のように店内に設けた作動スイッチ３０を押して撃退装置に電力を供給する。すると、撃退装置が作動を開始して、不快なパルス音を発する。この音は「たむろ」する若者だけに聞こえ、周囲の年代の異なる人には聞こえ難い。そのため、例えば、パルス音を聞かされた若者は、周囲の人と動作や様子に違和感が生じて不快感を覚えたり、抑圧感を感じたりして「たむろ」しなくなる。
【００２４】
このとき、効果が芳しくない場合は、発振周波数の設定を再調整する。また、音量を調整すれば、撃退エリアの再設定もできる。
このように、「たむろ」する若者に合わせて発振周波数を調整できるので、固体差にも柔軟に対応して大きな撃退効果が期待できる。
【符号の説明】
【００２５】
１０  パルス発生回路
１１  調整手段
１２  アンプ回路
１３  スピーカー
【図１】
2010170465.tif 000003
【図２】
2010170465.tif 000004
【図３】
2010170465.tif 000005
【図４】
2010170465.tif 000006
【図５】
2010170465.tif 000007
【図６】
2010170465.tif 000008
【図７】
2010170465.tif 000009